(57)【要約】【課題】斜面での落石を防止する落石防止構造において、高所等の作業がし難い傾斜地にも適用可能であって、且つ汎用性も高く、支持強度も良好な落石防止構造を提供することを課題としている。【解決手段】斜面３上の石１の底面と、該斜面３との間に形成されて下降傾斜方向に向かって開放された空間Ｓに挿入部材４を挿入し、該挿入部材４を、フレキシブルに変形可能な袋体８と、上記空間Ｓ内の袋体８内に注入されるグラウト９とによって構成した。【選択図】図１
2014009491.tif 000002
【特許請求の範囲】
【請求項１】
斜面（３）上の石（１）の底面と、該斜面（３）との間に形成されて下降傾斜方向に向かって開放された空間（Ｓ）に挿入部材（４）を挿入し、該挿入部材（４）を、フレキシブルに変形可能な袋体（８）と、上記空間（Ｓ）内の袋体（８）内に注入されるグラウト（９）とによって構成した落石防止構造。
【請求項２】
前記空間（Ｓ）側から下降傾斜方向に排水する流路が形成されるように上記挿入部材（４）を構成した請求項１に記載の落石防止構造。
【請求項３】
グラウト（９）注入時の袋体（８）の形状を予め変更設定する変更手段を該袋体（８）に設けた請求項２に記載の落石防止構造。
【請求項４】
挿入部材（４）に凹部（８ａ）が形成されるように前記変更手段を構成した請求項３に記載の落石防止構造。
【請求項５】
変更手段が、袋体（８）の対向する内面同士を引寄せる方向に係止する連結具（１４）である請求項４に記載の落石防止構造。
【請求項６】
前記挿入部材（４）を上記空間に複数介在させ、挿入部材（４）間に上記流路を形成した請求項２乃至５の何れかに記載の落石防止構造。
【請求項７】
複数の挿入部材（４）を重合せた状態で空間（Ｓ）に挿入した請求項６に記載の落石防止構造。
【請求項８】
袋体（８）内にグラウト（９）を注入するグラウトホース（１１）の取付口（１２）を、該袋体（８）に設けた請求項１乃至７の何れかに記載の落石防止構造。
【発明の詳細な説明】
【技術分野】
【０００１】
この発明は、斜面での落石を防止する落石防止構造に関する。
【背景技術】
【０００２】
不安定な状態で斜面に留まっている転石や浮石等の落石を防止する落石防止構造が従来公知である。
【０００３】
例えば、図７に示すように、斜面５１上の石５２の下方側を掘削し、この掘削部分にコンクリート５３を打設することにより基礎を設け、落石を防止する落石防止構造が従来公知である。また、斜面上の石を、該石及び斜面側の地盤に挿入される鋼棒と、地盤に固定されたアンカーピンに支持されたワイヤーロープとによって、地盤側に固定した特許文献１に示す落石防止構造も公知になっている。
【先行技術文献】
【特許文献】
【０００４】
【特許文献１】特開２００４−３１６３７４号公報
【発明の概要】
【発明が解決しようとする課題】
【０００５】
しかし、図７に示す落石防止構造では、石５２が高所に位置する場合、高所でのコンクリート打設作業の負担が増大する他、プラント等の設備を持込む場合には、そもそも基礎を築けない場合がある。
また、上記特許文献１の落石防止構造は、石の底面側を直接支持する部材がなく、石の下方側にコンクリート工によって基礎を設ける場合と比べて、支持強度が低いという欠点がある。
さらに、図７に示す落石防止構造では、傾斜地毎に個別に基礎の設定を行う必要があるとともに、特許文献１に示す落石防止構造でも、アンカーピン、ワイヤーロープ及び鋼棒の配置箇所を、傾斜地毎に設計する必要があり、汎用性が低い。
【０００６】
本発明は、斜面での落石を防止する落石防止構造において、高所等の作業がし難い傾斜地にも適用可能であって、且つ汎用性も高く、支持強度も良好な落石防止構造を提供することを課題としている。
【課題を解決するための手段】
【０００７】
上記課題を解決するため、第１に、斜面３上の石１の底面と、該斜面３との間に形成されて下降傾斜方向に向かって開放された空間Ｓに挿入部材４を挿入し、該挿入部材４を、フレキシブルに変形可能な袋体８と、上記空間Ｓ内の袋体８内に注入されるグラウト９とによって構成したことを特徴としている。
【０００８】
第２に、前記空間Ｓ側から下降傾斜方向に排水する流路が形成されるように上記挿入部材４を構成したことを特徴としている。
【０００９】
第３に、グラウト９注入時の袋体８の形状を予め変更設定する変更手段を該袋体８に設けたことを特徴としている。
【００１０】
第４に、挿入部材４に凹部８ａが形成されるように前記変更手段を構成したことを特徴としている。
【００１１】
第５に、変更手段が、袋体８の対向する内面同士を引寄せる方向に係止する連結具１４であることを特徴としている。
【００１２】
第６に、前記挿入部材４を上記空間に複数介在させ、挿入部材４間に上記流路を形成したことを特徴としている。
【００１３】
第７に、複数の挿入部材４を重合せた状態で空間Ｓに挿入したことを特徴としている。
【００１４】
第８に、袋体８内にグラウト９を注入するグラウトホース１１の取付口１２を、該袋体８に設けたことを特徴としている。
【発明の効果】
【００１５】
上記構成によれば、斜面上の石の底面と、該斜面との間に形成されて下降傾斜方向に向かって開放された空間に、挿入部材を挿入するため、石を下側から安定的に支えることが可能になるとともに、該挿入部材を、フレキシブルに変形可能な袋体と、上記空間内の袋体内に注入されるグラウトとによって構成しているため、石の下面側に直接コンクリート等で基礎を設ける場合と比較して、設置作業も軽減される他、袋体が上記空間に対応した形状に変形するため、種々の斜面に適用可能であり、汎用性が高い。
【００１６】
また、前記空間側から下降傾斜方向に排水する流路が形成されるように上記挿入部材を構成したものによれば、前記空間に溜まった雨水や地下水を円滑に排出できる。
【００１７】
また、グラウト注入時の袋体の形状を予め変更設定する変更手段を該袋体に設けたものによれば、グラウト充填時の袋体も形状も適宜変更できるため、さらに汎用性が向上する他、上記流路の形成も容易になる。
【００１８】
さらに、挿入部材に凹部が形成されるように前記変更手段を構成したものによれば、該凹部によって、上記流路の形成がさらに容易になる。
【００１９】
なお、変更手段が、袋体の対向する内面同士を引寄せる方向に係止する連結具であるものによれば、上記凹部の形成が容易になる。
【００２０】
また、前記挿入部材を上記空間に複数介在させ、挿入部材間に上記流路を形成したものによれば、
【図面の簡単な説明】
【００２１】
【図１】本発明を適用した落石防止構造の概念図である。
【図２】挿入部材の斜視図である。
【図３】挿入部材の構成を示す平断面図である。
【図４】挿入部材の構成を示す側断面図である。
【図５】ネットの説明図である。
【図６】（Ａ）乃至（Ｃ）は落石防止方法の構成について順を追って説明する説明図である。
【図７】従来公知の落石防止構造の概念図である。
【発明を実施するための形態】
【００２２】
図１は、本発明を適用した落石防止構造の概念図である。山岳地域等では、洪水時の押流し等によって石１が傾斜地２に留まる場合がある。この石１は、土砂等の軟弱地盤からなる傾斜地２の斜面３に位置する岩石や岩塊等の転石か、或いは、岩盤の固い地盤からなる傾斜地２の斜面３に位置して該固い地盤に固定されていない岩石や岩塊等の浮石である。この石１は、少なくともその一部が傾斜地２の斜面３から外側に露出し、不安定で落石の可能性が高い他、雨水や地下水等によって石２の下面（底面）１ａ側での浸食が進むと、落石の可能性がさらに高まる。
【００２３】
本発明は、このような不安定な石１を傾斜地２に安定的に支持して、落石を防止する落石防止構造に関するものである。この落石防止構造は、石１の下面１ａと斜面３との間に形成され且つ下降傾斜方向に向かって開放された空間Ｓに挿入される挿入部材４と、石１の表面側を覆うネット６とを備え、さらにその他ネット６及び挿入部材４を安定的に固定する基礎杭７が必要に応じて設けられる。
【００２４】
上記空間Ｓは、石１下方の傾斜方向下降側寄りに形成されたスペースであり、図示する例では、石１の下面１ａと斜面３との距離が下降側に向かって徐々に広くなる側面視楔状に形成されている。また、上述した挿入部材４の安定的な位置決めのために、傾斜面３を掘削して挿入部材４を載置する水平な載置面３ａを形成してもよい。
【００２５】
上記基礎杭７は、傾斜地２に挿入固定される上下方向のアンカー等である。傾斜面３に予め挿入穴３ｂを形成し、この挿入穴３ｂに基礎杭７を挿入してコンクリート等のグラウトを注入するか、或いは基礎杭７を直に傾斜面３に打込むことにより、該基礎杭７を、傾斜地２の地盤に強固に固定する。
【００２６】
図２は、挿入部材の斜視図であり、図３，図４は、挿入部材の構成を示す平断面図及び側断面図である。上記挿入部材４は、フレキシブルに変形可能な袋体８と、該袋体８内に注入されるコンクリート等のグラウト９とを有している。
【００２７】
袋体８は、耐水性且つ耐食性の布からなり、内部にグラウト９が注入され且つ外力が作用していない袋体８の形状は、方形厚板状になり、側周面には、コンクリート等のグラウト９を注入するグラウトホース１１を取付ける取付口１２が形成されている。この取付口１２にグラウトホース１１が着脱自在に接続され、ポンプ１３等によって圧送されるグラウト９が袋体８の内部に圧入される。ちなみに、袋８を構成する布として本例では、ポリエチレンを用いるが、これに限定されることなく、耐水性且つ耐食性を備えてフレキシブルに変更するものであれば、何れでもよい。
【００２８】
また、袋体８には、グラウト９の充填時における該袋体８の形状を予め変更設定する変更手段が設けられている。該変更手段は、袋体８の対向する内面同士を互いに引寄せられる方向に係止する連結具１４である。この連結具１４は、上記対向する内面同士の間に架渡され且つ両端部が袋体８の外面側まで挿通される連結紐１６と、連結紐１６の各端部に取付けられて該連結紐１６が袋体８から引抜かれることを防止する留め具１７とを備えている。
【００２９】
袋体８は、内部へのグラウト９の注入によって、外側に膨張するが、この連結具１４で連結された箇所同士の間隔は、互いに係止されてそれ以上外側に広がらないため、グラウト９の注入状態の袋体８の留め具１７部分は、窪んだ状態になる。言換えると、充填状態において、袋体８の留め具１７箇所には、連結具１４の機能によって、凹部８ａが形成される。
【００３０】
連結具１４によって連結する部分を具体的に説明すると、袋体８内において厚み方向で対向する上下面同士と、袋体８内において幅方向で対向する左右面同士と、袋体８内において全長方向で対向する前後面同士とが、それぞれ連結具１４によって連結される。
【００３１】
また、直方体形状をなす袋体８の８つのコーナ部８ｂはＲ状に形成され、円弧面をなしている。
【００３２】
この挿入部材４は、一又は複数が前記空間Ｓに介挿されるが、図示するように複数の挿入部材４を空間Ｓに挿入する場合、横方向に並列させるとともに上下方向に重ね合せた状態で、複数の挿入部材４が上記空間Ｓに挿入される。
【００３３】
この際、挿入部材４の凹部８ａ又は円弧状のコーナ部８ｂによって、隣接する挿入部材４同士の間と、挿入部材４と斜面３との間と、挿入部材４と石１との間に、隙間Ｓ１が形成される。前記空間Ｓの一部を構成するこの隙間Ｓ１によって、該空間Ｓ内の水を斜面１の傾斜方向下降側に排出する流路を形成され、この流路によって、地下水や雨水や石１内から漏れ出た漏れ水等が該空間Ｓ内に溜まることを防止できる。ちなみに、このような排水手段によれば、出水位置を特定し、その特定箇所に排水管等を配設する必要が無く、利便性が高い。
【００３４】
また、この挿入部材４は、斜面３側の載置面３ａに位置決め載置されるとともに、基礎杭７によって下降方向への移動が規制されるため、安定的に斜面３に支持される。
【００３５】
なお、挿入部材４の積上げ方や、並べ方は、図示するものに限定されるものではなく、レンガのような積上げ方をしてもよいし、整列させることなく、不規則に密着させた状態で、挿入してもよい。
【００３６】
図５は、ネットの説明図である。上記ネット６は、ワイヤ１８の両端部同士を係止具１９で連結してリング状に形成したものを、隣接するもの同士で互いに絡み合うように交差させることにより、全体が網状に形成されている。
【００３７】
図１に示す通り、このネット６は、基礎杭７に固定されるか、或いは、アンカーピン２１によって石１に直に取付固定され、このネット６によって、石１の外側に突出した部分の略全体を覆うとともに、挿入部材４と石１とが一体化される。
【００３８】
次に、図１及び図６に基づき、この落石防止構造を用いた落石防止方法の手順について説明する。
図６（Ａ）乃至（Ｃ）は落石防止方法の構成について順を追って説明する説明図である。まず、斜面３上の石１を観察して、載置面３ａや基礎杭７が必要であるか否かを見極める（同図（Ａ）参照）。
【００３９】
そして、必要に応じて、掘削、打付け等の作業によって、載置面３ａを形成するとともに、基礎杭７を固定し、該載置面３ａには、積上げた状態での複数の袋体８を挿入する（同図（Ｂ）参照）。
【００４０】
続いて、袋体８内のグラウト９を注入して挿入部材４を、その場で構成するとともに、ネット６を貼って、作業を完了させる。なお、基礎杭７を最後の作業で行ってもよい。ちなみに、グラウト９の袋体８内への注入時の圧力は、３〜５［ＭＰａ］程度に設定されており、これによって挿入部材４が、３００〜５００［ｋＮ／ｍ２］程度の支持力を獲得する。
【００４１】
該構成によれば、このコンクリート等のグラウト９の袋体８への注入によって、袋体８が隙間Ｓ１を形成させつつ、空間Ｓの形状に対応して変形し、石１を底面１ａ側から安定的に支えることが可能になる。
【００４２】
しかも、この際、挿入部材４は、斜面１を下方側に押圧するようにも作用するため、傾斜地２が砂等で構成されて軟弱な場合にも、適用可能である。
【符号の説明】
【００４３】
１    石（転石，浮石）
３    斜面
４    挿入部材
８    袋体
８ａ  凹部
９    グラウト
１１    グラウトホース
１４    連結具
１２    取付口
【図１】
2014009491.tif 000003
【図２】
2014009491.tif 000004
【図３】
2014009491.tif 000005
【図４】
2014009491.tif 000006
【図５】
2014009491.tif 000007
【図６】
2014009491.tif 000008
【図７】
2014009491.tif 000009